(57)【要約】【課題】従来の付帯は、装着の煩雑で、装着後の外観上の美しさといった点でも問題がああった。【解決手段】発明者等は鋭意検討の末、胴体に巻付けて使用する帯本体(1)と、該帯本体に着脱自在に形成された帯結び部分(2)とからなるものであって、帯本体の一端の表面と他端の裏面の一対のベルベット式ファスナーの係止によって、帯本体を装着し、および前記帯結び部分の中央部に上方に伸びる帯状部先端部裏面と前記帯本体の裏面の対応する箇所のベルベット式ファスナーの係止によって、前記帯本体装着時に、前記帯本体と前記帯結び部分が一体化して、自然な状態で安定して帯を結んだ外観を呈する簡易帯を提供することにより、前記課題を解決した。【選択図】図３
2006028675.tif 000002
【特許請求の範囲】
【請求項１】
胴体に巻付けて使用する帯本体と、該帯本体に着脱自在に形成された帯結び部分とからなるものであって、帯本体は胴体の周囲の長さより１０〜４５ｃｍ長く形成されており、かつ帯本体の一端の表面と他端の裏面に一対のベルベット式ファスナーが取付けられており、該ベルベット式ファスナーの係止によって、帯本体が胴体に安定して装着できること、および前記帯結び部分の中央部に上方に伸びる帯状部が存在し、該帯状部の先端部裏面と前記帯本体の装着時に背に位置する箇所の裏面に一対のベルベット式ファスナーが取付けられており、該ベルベット式ファスナーの係止によって、前記帯本体装着時に、前記帯本体と前記帯結び部分が一体化して、自然な状態で安定して帯を結んだ外観を呈するものであることを特徴とする、簡易帯。
【発明の詳細な説明】
【技術分野】
【０００１】
本発明は、簡易に安定して装着でき、かつ、装着した際の外観も美しく、ひいては好みのお飾りに自由に交換することができ、さらに装着後は崩れにくい、簡易帯に関するものである。
【背景技術】
【０００２】
和服、即ち着物の着装には着付技術を要するが、特に帯部分の装着は煩雑であり、装着技術の習得に時間と労力を要する。このため従来より、胴帯部分と帯結び部分が分離形態になっており、装着に際し、まず胴帯部分を胴体に巻付けた後、帯結び部分を帯締めを使って胴帯部分に取り付ける、簡易な付帯が開発され、実用化されている。
【０００３】
【特許文献１】特開２００３−２０１６１１号
【発明の開示】
【発明が解決しようとする課題】
【０００４】
しかしながら、従来の付帯は、胴体に巻き付けた帯本体の上からお飾り部分を紐で結んで装着するものであり、帯や紐の結び目を適当に調節するのに技術を要し、帯本体の上に位置づけられる紐を隠すために帯揚げでカバーする必要があり、装着が煩雑であった。また、特許文献１のごとく、付帯を取り付けるのにマジックテープ(登録商標)を用いるものも開発されているが、当該発明においては、まず、胴巻き部分(胴帯部分)を胴に巻き付けマジックテープ(登録商標)を背面で重ね固定した後、装着した胴巻き部分の背面に取り付けたマジックテープ(登録商標)に結び部分(帯結び部分)内側に取り付けたマジックテープ(登録商標)を合わせて固定するものである。即ち、このようにワッペン式に取り付けるのでは、いかに接着箇所のマジックテープ(登録商標)部分を広く設けたとしても、安定した取り付けを確保することが困難であることは明らかであり、従って、当該発明においては、結び部分(帯結び部分)上部内側に、左右に前に回してワンタッチバックルで固定し帯結び部分を胴体にしっかりと締め付けるための帯上げ素材のひもを取り付け、かかる問題点を解決している。しかし、かかる構成では、正面で帯上げ素材のひもおよびバックルを始末する煩雑さがあり、さらに、胴体部分と帯結び部分を接着するマジックテープ(登録商標)、ひもおよびバックルがどうしても側面から見えてしまい、外観の美しさという点からの問題もある。
【課題を解決するための手段】
【０００５】
発明者等は鋭意検討の末、胴体に巻付けて使用する帯本体と、該帯本体に着脱自在に形成された帯結び部分とからなるものであって、帯本体は胴体の周囲の長さより１０〜４５ｃｍ、好ましくは１５〜２５ｃｍ長く形成されており、かつ帯本体の一端の表面と他端の裏面に一対のベルベット式ファスナーが取付けられており、該ベルベット式ファスナーの係止によって、帯本体が胴体に安定して装着できること、および前記帯結び部分の中央部に上方に伸びる帯状部が存在し、該帯状部の先端部裏面と前記帯本体の装着時に背に位置する箇所の裏面に一対のベルベット式ファスナーが取付けられており、該ベルベット式ファスナーの係止によって、前記帯本体装着時に、前記帯本体と前記帯結び部分が一体化して、自然な状態で安定して帯を結んだ外観を呈する簡易帯を提供することにより、前記課題を解決した。
【０００６】
帯本体を胴体に装着するため、帯本体の一端表面および帯本体の他端裏面に、一対のベルベット式ファスナーを縫い付ける。ベルベット式ファスナーを取り付ける範囲は、当該ベルベット式ファスナーの係止により帯本体を胴体へ装着した際に、帯本体および帯結び部分を安定かつ外観を損なうことなく固定するのに十分な大きさを有すればよく、胴周り×１/２未満の長さで、帯本体の巾に限りなく近いがそれ未満の巾を有する。帯本体一端表面、即ち、帯を装着した際、下に位置する方の端の表面のベルベット式ファスナーは、当該一端から０〜０．２ｃｍ、好ましくは０〜０．１ｃｍ、帯本体の上縁から０〜０．２ｃｍ、好ましくは０〜０．１ｃｍ、帯本体の下縁から０．０５〜０．２ｃｍ、好ましくは０．０５〜０．１ｃｍの間隔をそれぞれ空けて、位置づける。帯本体他端裏面、即ち、帯を装着した際、上に位置する方の端の裏面のベルベット式ファスナーは、当該他端から２．０〜４．０ｃｍ、好ましくは２．５〜３．５ｃｍ、帯本体の上縁から０〜０．２ｃｍ、好ましくは０〜０．１５ｃｍ、帯本体の下縁から０．０５〜０．２ｃｍ、好ましくは０．０５〜０．１５ｃｍの間隔をそれぞれ空けて、位置づける。当該帯本体一端表面および他端裏面のベルベット式ファスナーの対応面は、各面が同一の大きさを有していてもよいし、装着者の胴周りサイズに合わせて自在に調節可能となるよう、一方の面を他方の面より丈を長くとるなどして、異なる大きさを有してもよい。帯本体内部に、所定の大きさのプラスチック芯を挟み入れて所望の堅さを付与して、帯本体両端の対応するベルベット式ファスナーの面の接着安定性を確保してもよい。ここで、帯本体の巾は１３〜１７ｃｍ、好ましくは１４〜１６ｃｍである。帯本体一端表面および他端裏面のベルベット式ファスナーを取り付ける範囲は、例えば、１５〜１８ｃｍ長、好ましくは１６〜１７ｃｍ長、１２．６〜１６．９５ｃｍ巾、好ましくは１３．６〜１５．９５ｃｍ巾の長方形状である。
【０００７】
前記帯結び部分の中央部に上方に伸びる帯状部は、帯結びを支えるのに十分な形態であればよい。１つの帯結びに１枚またはそれ以上の帯状部が存在してよい。例えば、お飾りがお太鼓の形態である場合は、お太鼓の中心線を挟んで左右対称する２箇所に帯状部を存在せしめて、お太鼓の帯本体への安定した結合を確保してもよいし、巾の広い１枚の帯状部を存在せしめて、同じ効果を得てもよい。帯状部の長さは、帯状部の先端部裏面と前記帯本体の装着時に背に位置する箇所の裏面のベルベット式ファスナーを係止して本体帯と一体化させた場合に、帯状部の上端が帯本体の下端内側に収まり、隠れる長さであり、帯巾×２未満の長さである。帯状部の素材は、帯結び部分または帯本体部分いずれかまたは両方と同じ布等、帯結び部分または帯本体部分いずれかまたは両方と外観上、作用上、適合可能な布であれば、いかなるものであってもよい。帯状部は、帯結びを支えるのに十分な堅さを付与すべく、所望の堅さの芯、例えば、プラスチック芯を中に挟み入れてよい。
【０００８】
帯状部の先端部裏面と前記帯本体の装着時に背に位置する箇所の裏面(以下、帯状部対応部分と呼ぶ)の長方形部分全体に一対のベルベット式ファスナーを取り付ける。当該両長方形部分の大きさは、当該ファスナーを係止した際、帯結び部分を帯本体にしっかりと結合一体化させるのに十分な大きさであればよく、帯本体の巾未満の長さで、帯状部の巾以下の巾を有する。好ましくは、当該両長方形部分の大きさは、１０〜１５ｃｍ長、好ましくは１１〜１３ｃｍ長で、６〜１５ｃｍ巾、好ましくは７〜８ｃｍ巾である。帯状部の先端部裏面の当該長方形部分は、帯状部の先端から０〜０．２ｃｍ、好ましくは０〜０．１ｃｍ、帯状部の縁から０〜０．２ｃｍ、好ましくは０〜０．１ｃｍ、それぞれ間隔を空けて位置する。帯状部対応部分たる当該長方形部分は、帯本体の裏面、装着時に背に位置する箇所の、帯本体の上縁から０〜０．２ｃｍ、好ましくは０〜０．１ｃｍの間隔を空けて、位置する。帯状部対応部分は、好ましくは、帯本体一端表面、即ち、帯を装着した際、下に位置する方の端の表面のベルベット式ファスナーを取り付けた部分の裏側中央に位置する。即ち、好ましくは、帯本体一端表面のベルベット式ファスナーを取り付けた部分の裏側中央に、前記帯状部おけるベルベット式ファスナーと対になるベルベット式ファスナーの面を取り付ける。かかる構成により、帯結び部分と一体化した帯本体を装着した際、帯結び部分が、帯本体部分の両端が重なった重なり部分を覆い、当該重なり部分が帯結び部分の下に隠れ、すっきりと美しい外観となる。
【０００９】
前記本発明の簡易帯において、帯結びのお飾りは、所望されるいかなる形態であってもよく、例えば、二重太鼓、お太鼓、銀座結び、文庫結び、あげは蝶等に予め形作っておいてよい。
【００１０】
本発明の簡易帯の装着法は、次の通りである。まず、該帯状部の先端部裏面と帯本体の帯状部分対応部分のベルベット式ファスナーを係止することにより、帯本体と帯結び部分を一体化させる。当該帯本体と一体化させた帯結び部分を正面に保持し、当該帯結び部分を持ち上げながら帯本体を胴体に巻きつけ、帯本体の一端の表面と他端の裏面のベルベット式ファスナーを係止することにより帯本体を固定後、持ち上げていた帯結び部分を下ろす。形を整え、正面に保持している帯結び部分を帯本体部分ごと背中へ回す。
【発明の効果】
【００１１】
本発明の簡易帯により、帯本体を体に巻きつけ結ぶ面倒や、帯結び部分を帯本体の上から胴体に、帯止めを通してしっかりと取り付け固定する面倒および困難がなく、さらに装着後も取り付け固定に用いた帯止めが覗くことなく、外観上美しく帯を胴周りに装着することが可能となる。そしてひいては、着用者は自由にお飾りを好みのものに取り替えることが可能となり、装いの幅を広げることができる。
【発明を実施するための最良の形態】
【００１２】
図１〜３に示したごとく、本発明の帯は、帯本体(1)および帯結び部分(2)より構成される。図１〜３に示す帯本体(1)は、胴体の周囲の長さより２０ｃｍ長く形成されている。帯本体の巾(α)は、１５ｃｍである。帯本体表面の右手先側の一端の、１６．５ｃｍ長、１４．９ｃｍ巾の長方形形状（下重なり部分）(3)全体に、ベルベット式ファスナーのループ面を縫い付け、帯本体裏面の左手先側の他端の、１６．５ｃｍ長、１４．９ｃｍ巾の長方形形状（上重なり部分）(4)全体に、前記ループ面に対応するベルベット式ファスナーフック面を縫い付ける。当該下重なり部分(3)は、帯本体右手先側の一端(5)と接し、帯本体上縁(6)と接し、および帯本体下縁(7)と０．１ｃｍの間隔を空けて位置する。上重なり部分(4)は、帯本体左手先側の端(8)と３ｃｍの間隔を空け、帯本体上縁(6)と接し、帯本体の下縁(7)と０．１ｃｍの間隔を空けて位置する。
【００１３】
帯結び部分(2)には、あげはの蝶型のお飾り(9)の中央の結び目(10)を垂直上方向へ延長する形で帯状部(11)が存在する。当該帯状部(11)は、１２．２ｃｍ長、７．５ｃｍ巾の長方形状である。帯状部裏面先端の１２ｃｍ長、７．５ｃｍ巾の長方形状部分(12)全体にベルベット式ファスナーのフック面が縫い付けてある。帯本体裏面の右手先側の一端に位置する、１２ｃｍ長、７．５ｃｍ巾の長方形状部分(帯状部対応部分)(13)全体に当該フック面に対応するループ面が縫い付けてある。帯状部裏面先端の当該長方形状部分(12)は、帯状部先端および帯状部両端に接しており、当該帯状部対応部分(13)は、帯本体裏面、右手先側の端(5)から４．５ｃｍの間隔を空けて、帯本体の上縁(6)に接して位置している。帯状部のベルベット式ファスナーフック面(12)と展開状態の帯本体の帯状部対応部分のベルベット式ファスナーループ面(13)を係止することにより帯結び部分を本体帯部分に一体化させた後(図３)、上(4)下(3)重なり部分のベルベット式ファスナーを係止させることにより、帯を胴体に装着する。
【図面の簡単な説明】
【００１４】
【図１】図１は、帯本体裏面(a)および表面(b)の展開図である。
【図２】図２は、ベルベット式ファスナーを係止した状態の帯本体(a)および帯本体と一体化させる前の帯結び部分（お飾りは、あげはの蝶）(b)を示す図である。
【図３】図３は、帯本体と帯結び部分を一体化させた状態を示す図である。
【符号の説明】
【００１５】
１  帯本体
２  帯結び部分
３  右手先側ベルベット式ファスナーループ面取り付け部分(下重なり部分)
４  左手先側ベルベット式ファスナーフック面取り付け部分(上重なり部分)
５  帯本体右手先側の一端
６  帯本体の上縁
７  帯本体の下縁  
８  帯本体左手先側の他端
９  あげはの蝶型のお飾り
１０  お飾りの中央の結び目
１１  帯状部
１２  帯状部裏面のベルベット式ファスナーフック面取り付け部分
１３  帯状部対応部分
【図１】
2006028675.tif 000003
【図２】
2006028675.tif 000004
【図３】
2006028675.tif 000005